(57)【要約】      （修正有）【課題】防風、防雨、美観、遮光、安全、窃盗防止、防塵等の目的を達することができる、オートバイ用シールドを提供する。【解決手段】本オートバイ用シールドは、主にオートバイ前部に設置され、かつ展開して前記オートバイを被覆する複数のシールド（硬質シールド）を含み、前記シールドがオートバイ両側中央底部に向かって延伸されて軸体に軸着され、前記軸体がオートバイ内部に設置された駆動モータ５０により駆動され、前記駆動モータに起動スイッチが電気的に接続されると共に、前記オートバイ後方箇所に固定式後ろシールドが設置され、前記後ろシールド上に最後の１つのシールドをロック固定できる窃盗防止ロックが設置され、運転者が起動スイッチを押すと同時に、前記シールドがオートバイ前部からオートバイ後方に向かって展開してオートバイを被覆し、最後の１つのシールドと前記窃盗防止ロックをロック固定して使用する。【選択図】図２
0003155278.tif 000002
【実用新案登録請求の範囲】
【請求項１】
オートバイと運転者を被覆することができるオートバイ用シールドであって、主に前記オートバイ前部に設置され、かつ展開して前記オートバイを被覆する複数のシールドと、前記オートバイ内部に設置された駆動モータを含み、前記シールドが前記オートバイの両側中央底部に向かって延伸されて軸体に軸着され、前記駆動モータが前記軸体を回動させることができることを特徴とする、オートバイ用シールド。
【請求項２】
前記シールドが硬質のシールドであり、前記シールド上にさらにワイパーを増設したことを特徴とする、請求項１に記載のオートバイ用シールド。
【請求項３】
前記シールドが、その頂部両端及び別のシールドとの支持部位に、前記シールドを展開して相互に支持させたとき、雨水がシールド内に浸入するのを防ぐための防水部がそれぞれ設けられたことを特徴とする、請求項１に記載のオートバイ用シールド。
【請求項４】
前記駆動モータに起動スイッチが電気的に接続され、前記駆動モータを作動させることができ、かつ、前記駆動モータが減速歯車モータであることを特徴とする、請求項１に記載のオートバイ用シールド。
【請求項５】
前記オートバイの後方箇所にさらに固定式後ろシールドが設置され、前記後ろシールド上に最後の１つのシールドをロック固定するために用いる窃盗防止ロックを設けたことを特徴とする、請求項１に記載のオートバイ用シールド。
【請求項６】
前記シールド内側に前記シールドとシールドの間を滑動させるためのローラーが設置され、前記シールドを展開したとき、前記ローラーにより滑動され、展開の動作が行われることを特徴とする、請求項１に記載のオートバイ用シールド。
【考案の詳細な説明】
【技術分野】
【０００１】
本考案はオートバイ用シールドに関し、特に、防風、防雨、美観、遮陽、安全性、窃盗防止、防塵の機能を備えた、オートバイ用シールドに関する。
【背景技術】
【０００２】
一般大衆がオートバイに乗るとき最も嫌なことが雨天、砂塵、強い日差しであるが、雨天に騎乗するときはレインコートの着用が必要であり、雨足が強いときはシューズシールドを着用しなければならない等、非常に面倒である。砂塵が吹き荒れているときはマスクを着用する必要があるが、マスクは厳格には軽度の砂塵を防止できるのみであり、大量の砂塵を完全に隔離することはできず、騎乗速度が速いと砂塵がマスクの辺縁からマスク内に侵入して人体が吸入してしまい、健康に大きな危険が及ぶ。強い日差しの下では紫外線防止が必要であるが、暑い日は身体から流れ出る汗で全身が濡れてしまう。このような感覚は運転者にとって不満な点であり、この問題を解決するために解決方法が研究されている。図１に従来のオートバイ用シールドの立体図を示す。昇降可能な支持フレーム８０、連動式シールドフレーム８１、固定フレーム８２、複数の係止部８３を含んだ構造であり、２本の支持フレーム８０を車体中央のフレーム軸心の両端にそれぞれ固定し、かつこの支持フレーム８０は２つの可動片で枢着され、２つの可動片の可動端の間に補助弾性部材８４が設置され、支持フレーム８０の昇降時に付勢し、さらにシールドフレーム８１の二端を支持フレーム８０上端にそれぞれ枢着する。シールドフレーム８１は数個の骨組み８６と包覆部８５から構成され、かつ各骨組み８６の高さはそれぞれ異なり、第一組の骨組み８６を外側に向かって展開させると、包覆部８５の連動により第二組の骨組み８６が外側に向かって展開され、この方法で順次連動式シールドフレーム８１を展開させ、オートバイと運転者を包み込むシールド状を形成することができる。
【０００３】
しかしながら、上述のオートバイ用シールドの構造には次のような問題と欠点が確実に存在し、改良が待たれている：
一、運転者の運転速度が速いと、骨組み８６とシールドフレーム８１が変形してしまい、実用性がない。
二、運転者がシールドフレーム８１を起こしたいとき、人が外でシールドフレーム８１を起こす必要があり、実用的でない。
三、シールドフレーム８１を採用しているため、風の抵抗を生じやすく、運転者が風で吹き倒されやすいだけでなく、前シールドが強大な風の抵抗を受けきれず、つぶれてしまいやすい。
四、夜間の運転時、視界が悪く、事故につながりやすい。
五、運転者はオートバイが静止状態にあるときのみシールドフレーム８１を作動させることができる。
【考案の概要】
【考案が解決しようとする課題】
【０００４】
本考案の主な目的は、防風、防雨、美観、遮陽、安全、窃盗防止、防塵の機能を備え、走行中に前記シールドを展開させることができ、かつ窃盗防止ロックの設置により、窃盗防止の機能を備え、風の抵抗が低く、走行中シールドの変形が生じず、実用性と進歩性を備えた、オートバイ用シールドを提供することにある。
【課題を解決するための手段】
【０００５】
本考案のオートバイ用シールドは、主に複数のオートバイ前部に設置されたシールドを備え、前記シールドは前記オートバイを包み込んで被覆してもよく、かつ前記シールドはそれぞれオートバイの両側中央底部に向かって延伸されて軸体に軸着され、前記軸体により前記シールドを同一の支持点で平均的に展開させることができ、前記軸体は駆動モータと連結され、前記駆動モータにより前記軸体を駆動して前記シールドを展開させることができ、さらに、前記駆動モータに起動スイッチが電気的に接続され、運転者は前記起動スイッチで前記駆動モータを作動させることができる。そのうち、前記オートバイは後方箇所にさらに固定式後ろシールドが設けられ、前記後ろシールド上に最後の１つのシールドを固定できる窃盗防止ロックが設けられる。
【考案の効果】
【０００６】
上述の技術により、従来のオートバイ用シールドの構造に存在する骨組みとシールドフレームが変形しやすく、実用性に欠ける点と、運転者がシールドフレームを起こしたいとき、人が外でシールドフレームを起こす必要がある（運転者はオートバイが静止状態のときにシールドフレームを起こすことができる）点、そしてシールドフレームを採用していることで風の抵抗を生じ、運転者が風に吹き倒されてしまいやすく、且つ前シールドが強大な風の抵抗を受けきれず、つぶれてしまいやすい点、夜間の運転時に視界が悪く、事故が起こりやすいという問題点を打破し、硬質シールドと軸体の結合と、前記起動スイッチで前記駆動モータを駆動して前記軸体を作動させることにより、走行中に前記シールドを展開させることができ、かつ窃盗防止ロックの設置により、窃盗防止の機能を備え、走行中も硬質シールドにより従来技術のような風の抵抗でつぶれてしまうといった問題がなく、実用性と進歩性を備えている。
【図面の簡単な説明】
【０００７】
【図１】従来のオートバイ用シールドシールドの立体図である。
【図２】本考案の最良の実施例の立体外観図である。
【図２Ａ】本考案の最良の実施例の別の立体外観図である。
【図３】本考案の最良の実施例の立体分解図である。
【図４】本考案の最良の実施例の動作図１である。
【図５】本考案の最良の実施例の動作図２である。
【図６】本考案の最良の実施例の動作図３である。
【図７】本考案の最良の実施例の部分拡大図である。
【図８】本考案の別の最良の実施例の立体外観図である。
【考案を実施するための形態】
【０００８】
図２と図２Ａ、図３に本考案の最良の実施例の立体外観図、別の立体外観図、及び立体分解図をそれぞれ示す。これらの図からはっきりと分かるように、本考案のオートバイ用シールド２０は前記オートバイ１０及び運転者を包み込んで被覆することができ、主に次の要素を含む。
【０００９】
オートバイ１０前部１１に設置され、かつ展開して該オートバイ１０を包み込み覆うことができる複数のシールド２０を備え、前記シールド２０は硬質のシールド２０であり、かつそのうち１つのシールド２０上にワイパー３０を増設することができ、かつ前記シールド２０はそれぞれ頂部２１の両端と別のシールド２０の支持部位に防水部２２が設けられ、前記シールド２０を展開して相互に支持させたとき雨水がシールド２０内に浸入するのを防ぐことができる。さらに、前記オートバイ１０の後方箇所に固定式後ろシールド２３が設置され、前記後ろシールド２３上に最後の１つのシールド２０を固定できる窃盗防止ロック２３１が設けられ、効果的に窃盗防止の機能を同時に達することができる。前記シールド２０はオートバイ１０の両側中央底部に向かってそれぞれ延伸されて軸体４０に軸着され、前記軸体４０は前記オートバイ１０内部に設置された駆動モータ５０により作動され、前記軸体４０が回動するとき前記シールド２０を同時に動かすことができる。上述の駆動モータ５０は減速歯車モータとすることができ、かつ前記駆動モータ５０に起動スイッチ６０が電気的に接続され、運転者が便利に前記駆動モータ５０を作動させることができる。
【００１０】
さらに、前記シールド２０内側にシールド２０とシールド２０の間を滑動させるローラー２４が設置され、前記シールド２０の展開時、前記ローラー２４により滑動させて展開の動作を行わせることができ、また前記シールド２０の展開時に傷がつかないようにすることもできる。
【００１１】
上述の構造、組み立て設計に基づき、本考案の使用作動状況について以下で説明する。同時に図３、図４、図５、図６、図７に本考案の最良の実施例の立体分解図、動作図１〜３及び部分拡大図をそれぞれ示す。これらの図からはっきりと分かるように、前記オートバイ用シールド２０は複数のシールド２０と駆動モータ５０を含み、そのうち、前記シールド２０は前記オートバイ１０の前部１１に設置され、かつ展開して前記オートバイ１０を包み込んで被覆することができる。前記シールド２０はオートバイ１０の両側中央底部に向かってそれぞれ延伸されて軸体４０に軸着され、前記シールド２０を軸で固定することができる。かつ、前述のシールド２０は頂部２１の両端と別のシールド２０の支持部位に防水部２２が設けられ、前記シールド２０を展開して相互に支持させたとき、雨水がシールド２０内に浸入するのを防止することができる。かつ、前記シールド２０内側にシールド２０とシールド２０の間を滑動させるローラー２４が設置され、前記シールド２０の展開時、前記ローラー２４を滑動させて展開の動作を行わせることができ、展開後前記オートバイ１０後方に設置された窃盗防止ロック２３１を備えた固定式後ろシールド２３で窃盗防止機能を達することができる。さらに、前記オートバイ１０内部に前記軸体４０と連結された駆動モータ５０が設置され、前記駆動モータ５０に起動スイッチ６０が電気的に接続され、前記駆動モータ５０の起動に用いられる。運転者が前記シールド２０を使用したいときは、前記起動スイッチ６０で前記駆動モータ５０を作動させ、前記駆動モータ５０が前記軸体４０を動かして前記シールド２０でオートバイ１０の前部１１からオートバイ１０後方に向かって被覆することができる。被覆と同時に、図７に示すように、前記シールド２０の内側にローラー２４が設置されており、前記シールド２０頂部２１の両端に防水部２２が設けられているため、前記シールド２０の展開時、前記ローラー２４の設置によって展開時に前記シールド２０の表面を傷つけることがなく、かつ展開時前記シールド２０の一端が別のシールド２０と相互に支持して固定されるが、この支持箇所に前記防水部２２が設計されているため、雨水が展開後にシールド２０とシールド２０の間の隙間からシールド２０内に入り込むことがない。その後、前記最後の１つの前記オートバイ１０を被覆するシールド２０と前記後ろシールド２３を接触させた後、前記窃盗防止ロック２３１でロック固定すると、窃盗防止、防雨、防風、遮陽、安全性、美観の機能を同時に達することができる。
【００１２】
図８に本考案の別の最良の実施例の立体外観図を示す。この図からはっきりと分かるように、前記シールド２０ａ上にさらに太陽光パネル９０を増設することができ、前記太陽光パネル９０は該太陽光パネル９０から得られるエネルギーを保存できる蓄電装置９１に接続され、前記蓄電装置９１によりその他用途の電気設備に用いることができる。
【００１３】
全部の図に示すように、本考案には次の利点が確実に存在する。
一、     
硬質のシールド２０の設計により、風の抵抗係数が低く、運転速度が速くても変形を生じない。
二、     
運転者がシールドフレームを作動させたいとき、運転者は起動スイッチ６０を押すだけでシールド２０を作動させることができる。
三、     
シールド２０が卵形に近い設計であるため、風の抵抗係数が低く、運転者が突然の側面からの風に吹き倒されにくく、かつ前方からの強風を遮り、つぶれてしまうことがない。
四、     
全透明のシールド２０の設計を採用しているため、運転者の視野が非常に広く、夜間の運転時の安全性にも問題がない。
五、     
運転者はオートバイ１０が走行状態にあるときシールド２０を作動させてオートバイ１０と運転者を被覆させることができる。
【符号の説明】
【００１４】
１０      オートバイ
１１      前部
２０、２０ａ    シールド
２１      頂部
２２      防水部
２３      後ろシールド
２３１    窃盗防止ロック
２４      ローラー
３０      ワイパー
４０      軸体
５０      駆動モータ
６０      起動スイッチ
８０      支持フレーム
８１      連動式シールドフレーム
８２      固定フレーム
８３      係止部
８４      補助弾性部材
８５      包覆部
８６      骨組み
９０      太陽光パネル
９１      蓄電装置
【図１】
0003155278.tif 000003
【図２】
0003155278.tif 000004
【図２Ａ】
0003155278.tif 000005
【図３】
0003155278.tif 000006
【図４】
0003155278.tif 000007
【図５】
0003155278.tif 000008
【図６】
0003155278.tif 000009
【図７】
0003155278.tif 000010
【図８】
0003155278.tif 000011